(57)【要約】      （修正有）【課題】構造が強化され、放熱面積が増え、放熱效果がよい放熱フィン構造を提供する。【解決手段】本体上には少なくとも補強部が形成され、補強部は本体の面に凹設し、相対して前述本体の別一面が突出し、本体は一側に下向きに伸びる第一の折辺を設置し、その別側は下向きに伸びる第二の折辺を設置し、補強部の断面形状は半円形及び矩形及びＶ型のうちのいずれか一つを選択され、補強部の構造によって放熱フィン全体の構造を大幅に向上させ、放熱面積を増やした放熱フィン構造である。【選択図】図８
0003145194.tif 000002
【実用新案登録請求の範囲】
【請求項１】
本体を含む放熱フィン構造において、
該本体は、少なくとも補強部を形成し、該補強部は、前述本体の面に凹設し、  前記本体の別の面は相対して突出することを特徴とする放熱フィン構造。
【請求項２】
前記本体は、一側に下向きに伸びる第一の折辺を設置し、その別側は下向きに伸びる第二の折辺を設置することを特徴とする請求項１記載の放熱フィン構造。
【請求項３】
前記補強部は、該本体の面に凹部を具え、相対して該本体の別の面は突出した凸部を具えることを特徴とする請求項１記載の放熱フィン構造。
【請求項４】
前記補強部は、その断面形状は半円形及び矩形及びV型のうちのいずれか一つを選択することを特徴とする請求項１もしくは３記載の放熱フィン構造。
【請求項５】
前記本体上には、少なくとも穿孔を設置することを特徴とする請求項１記載の放熱フィン構造。
【請求項６】
前記補強部は、該本体上に規則性を具えて配列することを特徴とする請求項１記載の放熱フィン構造。
【請求項７】
前記補強部は、本体上に不規則性を具えて配列することを特徴とする請求項１記載の放熱フィン構造。
【請求項８】
一種の放熱モジュールにおいて、
基台と、
少なくとも吸熱部及び少なくとも導熱部を具え、該吸熱部は上述基台に連結する導熱管と、
複数の放熱フィンが重畳されて構成し、前述導熱部に差し込み、そのうち前述放熱フィンは、本体を含み、該本体は少なくとも補強部を具え、該補強部は前述本体の面に凹設し、相対して前述本体の別の面が突出する放熱フィンユニットを含むことを特徴とする放熱モジュール。
【請求項９】
前記補強部は、断面形状が半円形及び矩形及びV型のうちのいずれか一つを選ぶことを特徴とする請求項８記載の放熱モジュール。
【請求項１０】
前記補強部は、本体上に規則性もしくは不規則性に配列することを特徴とする請求項８記載の放熱モジュール。
【考案の詳細な説明】
【技術分野】
【０００１】
本考案は、放熱フィン構造に関するもので、特に少なくとも補強部を設置することにより、構造全体の強度と放熱面積が大幅に向上する放熱フィン構造に係る。
【背景技術】
【０００２】
電子情報科学技術の進歩は日進月歩であり、各３C 製品(例：パソコン、ノート型パソコン…等)の使用は日を追うごとに普及し、且つその応用は広域に跨っている。しかし、電子情報産業が３C製品の演算処理速度を高め、保存容量を高めれば高めるほど、前述３C製品内の電子部品は高速運転時に高温を発生する。
【０００３】
そのうち、パソコンを例に取ると、前述のパソコンが始動すると、内部の中央処理システム(CPU)は高速演算処理をして高温を発し、中央処理システムは不安定な状態に陥る。軽い場合は、フリーズを起こし、最悪の場合は焼き切れたり、中央処理システムが壊れてしまったりする。別に電磁波放射の問題を解決するため、通常機器筐体でパソコンメインを封鎖している。そのため，如何にして中央処理システム及びその他発熱する電子部品の熱エネルギーを排出するかが一つの重要な課題となっている。
【０００４】
一般に中央処理システムによく見られる放熱方式は、その上方に放熱器（heat sink）を設置する。前述放熱器の一側には複数のフィンを設置し、別の側の表面は中央処理システムに直接接触させ、熱エネルギーを前述のフィン端に伝導し、放射放熱及びファンを更に設置して気流を起こし、強制的に熱エネルギーを素早く放出する。
【０００５】
図１、図２に示すのは、公知の放熱フィン構造で、該放熱フィ１１は、片体であり、且つその両側辺を折り曲げて折辺１１１を成形する。但し、実際に実施する時、前述の放熱フィン１１は折辺１１１を押圧成形する時、その片体強度が不足していると通常押圧の力が平均にかからず、放熱フィン１１の構造は力を受けて壊れたり、ねじれたり、その他変形現象を発生する。
【０００６】
その他、前述各一放熱フィン１１は、相互に重畳して放熱フィンユニット１を形成し、更に各該放熱フィン１１の相互間には放熱空間１１３を具える。前述放熱フィンユニット１が放熱する時、該放熱フィンユニット１は、放射放熱方式によって熱エネルギーを外に向けて拡散し、且つこれら放熱フィン１１構造外型は、平面片体であるため、一空間は僅かに上下両端の平面が放熱部になるだけで、放熱面積が狭く、放熱効果は有限である。
【特許文献１】特開平１１−１６２４１７号公報
【特許文献２】特開平９−３２６４５９号公報
【考案の開示】
【考案が解決しようとする課題】
【０００７】
解決しようとする問題点は、下述の点である。
構造強度弱く、壊れやすい。
折辺を押圧する時に放熱フィンが変形しやすい。
放熱面積が小さすぎる。
放熱效果が悪い。
依って、本考案の課題は、上述の問題と欠点に鑑みてなされたもので、構造が強化され、放熱面積が増え、放熱效果が良い放熱フィン構造を提供することにある。
【課題を解決するための手段】
【０００８】
本考案は、主に本体を含み、該本体上には少なくとも補強部が形成され、該補強部は前述本体の面に凹設し、相対して前述本体の別の面が突出し、該補強部の設計によって放熱フィン全体の構造を大幅に向上させ、放熱面積を増やすことを最も主要な特徴とする。
すなわち請求項１の考案は、本体を含む放熱フィン構造において、該本体は、少なくとも補強部を形成し、該補強部は、前述本体の面に凹設し、前記本体の別の面は相対して突出することを特徴とする。
【０００９】
請求項２の考案は、請求項１記載の放熱フィン構造において、前記本体は、一側に下向きに伸びる第一の折辺を設置し、その別側は下向きに伸びる第二の折辺を設置することを特徴とする。
請求項３の考案は、請求項１記載の放熱フィン構造において、前記補強部は、該本体の面に凹部を具え、相対して該本体の別の面は突出した凸部を具えることを特徴とする。
請求項４の考案は、請求項１もしくは３記載の放熱フィン構造において、前記補強部は、その断面形状は半円形及び矩形及びV型のうちのいずれか一つを選択することを特徴とする。
請求項５の考案は、請求項１記載の放熱フィン構造において、前記本体上には、少なくとも穿孔を設置することを特徴とする。
請求項６の考案は、請求項１記載の放熱フィン構造において、前記補強部は、該本体上に規則性を具えて配列することを特徴とする。
請求項７の考案は、請求項１記載の放熱フィン構造において、前記補強部は、本体上に不規則性を具えて配列することを特徴とする。
【００１０】
請求項８の考案は、一種の放熱モジュールにおいて、基台と、少なくとも吸熱部及び少なくとも導熱部を具え、該吸熱部は上述基台に連結する導熱管と、複数の放熱フィンが重畳されて構成し、前述導熱部に差し込み、そのうち前述放熱フィンは、本体を含み、該本体は少なくとも補強部を具え、該補強部は前述本体の面に凹設し、相対して前述本体の別の一面が突出する一放熱フィンユニットを含むことを特徴とする放熱モジュールである。
請求項９の考案は、請求項８記載の放熱モジュールにおいて、前記補強部は、断面形状が半円形及び矩形及びV型のうちのいずれか一つを選ぶことを特徴とする。
請求項１０の考案は、請求項８記載の放熱モジュールにおいて、前記補強部は、本体上に規則性もしくは不規則性に配列することを特徴とする。
【考案の効果】
【００１１】
本考案の放熱フィン構造は、下述の利点がある。
構造が強化される。
放熱面積が増える。
放熱效果がよい。
【考案を実施するための最良の形態】
【００１２】
本考案は、構造の強度を高め、放熱面積を増やす放熱フィン構造を特徴とするもので、一種の放熱フィン構造であって、本体を含み、該本体上には少なくとも補強部を形成し、該補強部は本体の面に凹設し、前記本体の別の面に凸部が相対して突出し、該補強部によって構造強度が大幅に向上し、放熱面積が増える放熱フィン構造である。
(実施例)
本考案の好適な放熱モジュールの実施例を図面に沿って説明する。
【００１３】
本考案は一種の放熱フィン構造であり、図３、図５、図６に示すとおり、本考案の良好な実施例である。該放熱フィン構造は、本体２１を含み、該本体２１の一側は下向きに第一折辺２１４が伸び、別側も下向きに第二折辺２１５が伸びる。
更に、該本体上には少なくとも穿孔２１６が貫設され、該穿孔２１６には導熱管３２を挿入する。更に該本体２１には少なくとも補強部２１１を成形し、該補強部２１１は前述本体２１の面に凹設し、前述本体２１の別の面が相対して突出する。
【００１４】
該補強部２１１によって構造の強度が大幅に向上し、放熱面積が増える。本実施例に於いて、実際に実施する場合、前述の本体２１には第一折辺２１４及び第二折辺２１５を設置しなくてもよく、更に、該補強部２１１は該本体２１上に不規則的もしくは規則的に配列する。前述の規則性は、各該補強部(補助放熱体)２１１の相互間が水平もしくは垂直の配列(図５の例)とし、また前述の不規則性は、各該補強部(補助放熱体)２１１が互いに縦横に交錯配列する(図６の例)。
【００１５】
図７に示すとおり、前述の補強部２１１は、該本体２１の面に凹部２１３を具えたもので、該本体２１に相対して突出する別の面は凸部２１２を具える。前述凸部２１２は前述の第一、二折辺２１４、２１５を押圧する過程に於いて用いるので、該本体２１の全体構造を壊さず、且つ放熱面積を増やす。そのうち上述の補強部２１１の断面形状は半円形及び矩形及びV型のうちの任意の一形態を選択する。
【００１６】
図３、図４に示すとおり、前述の本体２１は、相互に重畳して放熱フィンユニット２を構成する。そのうち各本体２１の第一、二折辺２１４、２１５は別の本体２１の第一、二折辺２１４、２１５にしっかりと合わせ、前述の両者本体２１相互間には通道２１７を形成する。
【００１７】
続いて、図８、図９に示すとおり、該放熱モジュール３は、基台３１、該導熱管３２及び該放熱フィンユニット２を含む。前述基台３１上には凸部３１１を具え、前述凸部３１１の側面には少なくとも孔３１２を具え、該凸部３１１を差し込む。更に該孔３１２は該基台３１周辺に向かって溝槽３１３が設置される。他に該基台３１の下端面３１０には少なくとも発熱ユニット(図示せず)を相互に接触して熱エネルギーを伝導する。
【００１８】
前述導熱管３２は、少なくとも吸熱部３２０及び少なくとも導熱部３２１を具える。前述の吸熱部３２０は、該基台３１の孔３１２に差し込んで該溝槽３１３内に納置する。前述導熱部３２１の端はちょうど該本体２１に相対する穿孔２１６に挿入し、該本体２１と導熱管３２を結合する。該発熱ユニットが熱エネルギーを発した時、前述基台３１が熱エネルギーを先ず該導熱管３２の吸熱部３２０に伝導し、次に前述吸熱部３２０が熱エネルギーを差し込んだ放熱フィンユニット２に伝え、該放熱フィンユニット２が熱エネルギーを外に拡散して放熱し更に該補強部２１１の凸部２１２によって放熱面積を増やす。
【００１９】
図１０に示すのは、別の実施例の放熱モジュールの状態図で、前述の別の放熱モジュールの補強部２１１は３個であるが、これを制限するものではなく、１個、２個、３個、４個…等でもかまわない。ただ本考案を実際に実施する時、該補強部２１１によって該本体２１の構造が強化され、放熱面積を増やすもので、これはすべて本考案で述べた補強部２１１に依るものである。
【００２０】
図８、図１１に示すとおり、前述放熱モジュール３は一ファン５を設置して放熱器４に配置する。該ファン５は、該放熱フィンユニット２に相対する一側に設置する。更に詳しく説明すると、該ファン５は前記第一、二折辺近くの本体の別側に設置する。前述ファン５が気流を強制的に放熱して通道２１７内に導かれた時、各該本体２１の補強部２１１の凹部２１３によって放熱気流がスムーズに流れやすくなり、前述放熱気流もまた規律的な前述通道２１７内で流動し、且つ熱気流を集中させ、別方面では前述補強部２１１の凸部２１２が放熱面積を更に増やし、該放熱器４の放熱機能を大幅に高める。
【００２１】
各該本体２１の補強部２１１の凸部２１２によって放熱フィンユニット２の放熱面積が増えるだけでなく、更にその該凹部２１３によって可引導並集中該ファン５が発する放熱気流を導いて集中させ、該放熱器４全体の放熱機能を大幅に高める。
【００２２】
上述に示すのは、本考案の良好な実施例に過ぎず、本考案は上述の方法、形状、構造、装置に依る変化はすべては本考案の請求範囲に含まれる。
【図面の簡単な説明】
【００２３】
【図１】本考案の公知の放熱フィン指示図である。
【図２】本考案の公知の放熱フィンユニット分解指示図である。
【図３】本考案の放熱フィン指示図である。
【図４】本考案の放熱フィンユニット分解指示図である。
【図５】本考案の別一放熱フィン指示図である。
【図６】本考案の別一放熱フィン指示図である。
【図７】本考案の別一放熱フィン指示図である。
【図８】本考案の放熱モジュール分解指示図である。
【図９】本考案の放熱モジュール組合指示図である。
【図１０】本考案の実施例の別一放熱モジュール的状態指示図である。
【図１１】本考案の放熱器指示図である。
【符号の説明】
【００２４】
２        放熱フィンユニット
２１        本体
２１１        補強部(補助放熱体)
２１２        凸部
２１３        凹部
２１４        第一折辺
２１５        第二折辺
２１６        穿孔
２１７        通道
３        放熱モジュール
３１        基台
３１０        下端面
３１１        凸部
３１２        孔
３１３        溝槽
３２        導熱管
３２０        吸熱部
３２１        導熱部
４        放熱器
５        ファン
【図１】
0003145194.tif 000003
【図２】
0003145194.tif 000004
【図３】
0003145194.tif 000005
【図４】
0003145194.tif 000006
【図５】
0003145194.tif 000007
【図６】
0003145194.tif 000008
【図７】
0003145194.tif 000009
【図８】
0003145194.tif 000010
【図９】
0003145194.tif 000011
【図１０】
0003145194.tif 000012
【図１１】
0003145194.tif 000013